(57)【要約】  医療パラメータを監視するためのプログラム可能な健康監視デバイス、システム、及び方法が開示される。例証的な健康監視デバイスは、医療パラメータの監視を奨励する報奨アルゴリズム又はルーチンを含む報奨回路要素と、健康監視デバイスと健康監視デバイスにつながる１つ又は複数の遠隔デバイスとの間で、交互に、報奨データ及び／又は医療データを送信し、かつ／又は、受信する通信インタフェースとを含むことができる。ディスプレイパネルは、ユーザの現在の試験の読み及び／又は過去の試験の読み、ならびに、報奨アルゴリズム又はルーチンによって決定された１つ又は複数の目標に適合することについて獲得された任意の報奨又は褒賞を含む、種々の医療パラメータ及び報奨パラメータを表示するように構成されることができる。ユーザインタフェースを利用して、種々の報奨基準及び／又は報奨コードを健康監視デバイス内にプログラムすることができると共に、他の機能を実施することができる。
2009523469.tif 000002
【特許請求の範囲】
【請求項１】
１つ又は複数の医療パラメータを監視することについて、報奨又は褒賞を提供するための方法であって、
ユーザの健康に関する１つ又は複数の医療パラメータを検知するための健康監視デバイスを設けるステップであって、前記健康監視デバイスは、１つ又は複数の医療パラメータの監視を奨励するアルゴリズム又はルーチンを実行するための報奨回路要素を備えている、健康監視デバイスを設けるステップと、
報奨基準データを前記健康監視デバイス内にて受信するステップと、
前記報奨基準データを、前記健康監視デバイスによって取得された１つ又は複数の医療パラメータと比較するステップと、
前記報奨基準データの１つ又は複数の目標が満たされたかどうかを判定するステップと、
前記１つ又は複数の目標のうちの少なくとも１つが満たされたときを、前記ユーザに通知する報奨インジケータを設けるステップと、
前記１つ又は複数の目標に関するユーザの適合度に少なくとも部分的に基づいて、１つ又は複数の報奨又は褒賞を獲得するように前記ユーザに促すステップと、
前記報奨又は褒賞を前記健康監視デバイスの記憶メモリ内にダウンロードするステップ、及び、前記報奨又は褒賞を１つ又は複数の他のデバイスへ送信するステップのうちの少なくとも一方とを備える方法。
【請求項２】
前記報奨基準データを受信する前記ステップは、前記健康監視デバイスにつながるウェブサイト及び他の遠隔デバイスのうちの少なくとも一方から前記報奨基準をダウンロードするステップからなる、請求項１に記載の方法。
【請求項３】
前記報奨基準データを１つ又は複数の医療パラメータと比較する前記ステップは、前記監視デバイスの内部クロックを使用して、取得されるそれぞれの医療パラメータに関連する日付及び時間のうちの少なくとも一方を決定することを含む、請求項１に記載の方法。
【請求項４】
前記報奨基準データの１つ又は複数の目標が満たされたか否かを判定する前記ステップは、それぞれの医療パラメータに関連する日付及び時刻スタンプを、外部クロック源からの時間及び日付データと比較するステップからなる、請求項１に記載の方法。
【請求項５】
報奨状態インジケータを設ける前記ステップは、ディスプレイスクリーン上に視覚的報知を出力するステップからなる、請求項１に記載の方法。
【請求項６】
前記健康監視デバイスは、同一のディスプレイスクリーン上で、前記視覚的報知を表示することと、１つ又は複数の医療パラメータを表示することとを交互に行うために適切である、請求項５に記載の方法。
【請求項７】
報奨状態インジケータを設ける前記ステップは、前記健康監視デバイス上の１つ又は複数の光源を点灯するステップからなる、請求項１に記載の方法。
【請求項８】
前記健康監視デバイス上の１つ又は複数の光源を点灯する前記ステップは、
前記報奨基準の１つ又は複数の目標に関する前記ユーザの適合度に対するフィードバックを提供するために、前記健康監視デバイス上の光源の第１アレイを点灯するステップと、
前記１つ又は複数の目標に関する前記ユーザの適合性に少なくとも部分的に基づいて獲得した、又は、獲得されることになる任意の報奨又は褒賞に対するフィードバックを提供するために適切である、前記健康監視デバイス上の光源の第２アレイを点灯するステップ
とを含む請求項７に記載の方法。
【請求項９】
前記健康監視デバイス上の光源の前記第１アレイを点灯する前記ステップは、
前記ユーザが、前記１つ又は複数の目標に完全に適合しているときを指示する第１光源を点灯するステップと、
前記ユーザが、前記１つ又は複数の目標に適合していないときを指示する１つ又は複数の他の光源を点灯するステップとを含む請求項８に記載の方法。
【請求項１０】
前記健康監視デバイス上の１つ又は複数の光源を点灯する前記ステップは、前記光源の少なくとも１つの光源の色及び点滅レートのうちの少なくとも一方を変化させることを含む請求項７に記載の方法。
【請求項１１】
報奨状態インジケータを設ける前記ステップは、スピーカを通して可聴アラームを出力するからなる請求項１に記載の方法。
【請求項１２】
前記１つ又は複数の目標に対する前記ユーザの適合度に少なくとも部分的に基づいて、前記可聴アラームのピッチ及びラウドネスのうちの少なくとも一方を調整するステップをさらに含む請求項１１に記載の方法。
【請求項１３】
報奨状態インジケータを設ける前記ステップは、振動要素によって前記ユーザに触知可能なフィードバックを提供するステップからなる請求項１に記載の方法。
【請求項１４】
１つ又は複数の報奨又は褒賞を獲得するように前記ユーザに促す前記ステップは、報奨又は褒賞を獲得する方法に関する命令に従って前記報奨又は褒賞が獲得されたことを前記ユーザに知らせるメッセージをディスプレイスクリーン上に出力するステップからなる請求項１に記載の方法。
【請求項１５】
前記報奨又は褒賞をメモリからクリアするように前記ユーザに促すステップをさらに備える請求項１に記載の方法。
【請求項１６】
前記報奨又は褒賞をメモリから自動的に消去するステップをさらに備える請求項１に記載の方法。
【請求項１７】
前記１つ又は複数の目標に関する前記ユーザの適合性に少なくとも部分的に基づいて、１つ又は複数の動機付けメッセージ及び広告メッセージのうちの少なくとも一方をディスプレイスクリーン上に出力するステップをさらに備える請求項１に記載の方法。
【請求項１８】
ユーザによる１つ又は複数の医療パラメータの監視を奨励するシステムであって、
ユーザの健康に関する１つ又は複数の医療パラメータを検知するために適切であるとともに、前記１つ又は複数の医療パラメータの監視を奨励するアルゴリズム又はルーチンを実行するために適切な報奨回路要素を備えた健康監視デバイスと、
前記健康監視デバイスに接続されることが可能な少なくとも１つの遠隔デバイスとを備えるシステム。
【請求項１９】
前記少なくとも１つの遠隔デバイスは、遠隔エンティティのコンピュータシステムを含む請求項１８に記載のシステム。
【請求項２０】
前記遠隔エンティティは、薬局又は医薬品ストアである請求項１９に記載のシステム。
【請求項２１】
前記少なくとも１つの遠隔デバイスは、車両コントローラである請求項１８に記載のシ
ステム。
【請求項２２】
前記少なくとも１つの遠隔デバイスは、ウェブサイトである請求項１８に記載のシステム。
【請求項２３】
前記少なくとも１つの遠隔デバイスは、１つ又は複数の監視デバイスである請求項１８に記載のシステム。
【請求項２４】
前記少なくとも１つの遠隔デバイスは、有線接続又は無線接続によって前記健康監視デバイスにつながる請求項１８に記載のシステム。
【請求項２５】
前記少なくとも１つの遠隔デバイスは、インターネット接続又はイントラネット接続によって前記健康監視デバイスにつながる請求項１８に記載のシステム。
【請求項２６】
前記少なくとも１つの遠隔デバイスは、１つ又は複数の報奨又は褒賞を含む報奨データベースを含む請求項１８に記載のシステム。
【請求項２７】
前記報奨データベースは、１つ又は複数のプログラムされた報奨基準を含む請求項２６に記載のシステム。
【請求項２８】
前記健康監視デバイスは、前記少なくとも１つの遠隔デバイスに適合性データを送信するようになっており、前記適合性データは、前記健康監視デバイスから取得された１つ又は複数の読みを含む請求項１８に記載のシステム。
【請求項２９】
前記少なくとも１つの遠隔デバイスは、前記適合性データに基づいて前記健康監視デバイスへ１つ又は複数の報奨コードを送信するようになっている請求項２８に記載のシステム。
【請求項３０】
健康監視デバイスであって、
１つ又は複数の医療パラメータを検知するようになっている医療回路要素と、
前記１つ又は複数の医療パラメータの監視を奨励する報奨アルゴリズム又はルーチンを含む報奨回路要素と、
前記健康監視デバイスと、前記健康監視デバイスにつながる１つ又は複数の遠隔デバイスとの間で、交互に、報奨データ及び／又は医療データを送信し、かつ／又は、受信する通信インタフェースと、
報奨データを表示するための、ディスプレイスクリーンを含む少なくとも１つのディスプレイパネルと、
ユーザインタフェースとを備える健康監視デバイス。
【請求項３１】
それぞれの検知された医療パラメータに対応する日付及び時刻スタンプに従って１つ又は複数の検知された医療パラメータを記憶するようになっている記憶メモリをさらに含む請求項３０に記載の健康監視デバイス。
【請求項３２】
前記報奨回路要素は、１つ又は複数のプログラムされた報奨コードを含む報奨コードデータベースを含む請求項３０に記載の健康監視デバイス。
【請求項３３】
前記報奨回路要素は、１つ又は複数のプログラムされた目標を含む報奨基準データベースを含む請求項３０に記載の健康監視デバイス。
【請求項３４】
前記報奨アルゴリズム又はルーチンは、前記１つ又は複数のプログラムされた目標に関
する前記ユーザの適合性に少なくとも部分的に基づいて、報奨又は褒賞を処方するようになっている請求項３３に記載の健康監視デバイス。
【請求項３５】
前記１つ又は複数のプログラムされた目標に関する前記ユーザの適合性に対するフィードバックを提供するようになっている光源の第１アレイと、
前記１つ又は複数のプログラムされた目標に関する前記ユーザの適合性に基づいて獲得した、又は、獲得されることになる任意の報奨又は褒賞に対するフィードバックを前記ユーザに提供するようになっている光源の第２アレイとをさらに含む請求項３３に記載の健康監視デバイス。
【請求項３６】
光源の前記第１アレイ及び／又は前記第２アレイ内のそれぞれの光源の動作状態を決定する手段をさらに備える請求項３５に記載の健康監視デバイス。
【請求項３７】
前記報奨回路要素は、前記医療回路要素から光学的に分離される請求項３０に記載の健康監視デバイス。
【請求項３８】
１つ又は複数の動機付けメッセージ及び／又は広告メッセージを含む動機付けメッセージデータベース及び／又は広告メッセージデータベースをさらに含む請求項３０に記載の健康監視デバイス。
【請求項３９】
前記動機付けメッセージデータベース及び／又は前記広告メッセージデータベース内で前記動機付けメッセージ及び／又は前記広告メッセージをプログラムするためのインタフェースをさらに備える請求項３８に記載の健康監視デバイス。
【請求項４０】
血中グルコース測定器である請求項３０に記載の健康監視デバイス。
【発明の詳細な説明】
【技術分野】
【０００１】
本発明は、一般に、健康監視の分野に関する。より具体的は、本発明は、医療パラメータの監視を奨励するためのプログラム可能な健康監視デバイス、システム、及び方法に関する。
【背景技術】
【０００２】
糖尿病関連合併症が母集団に及ぼす影響は、世界中でヘルスケアコストの有意な部分を占める。米国だけで、１８００万を超える人数がこの病状を患い、子供と成人の約６％を占める。その病状に罹患している人々は、心臓血管関連の疾病のリスクが高く、通常、その病状を持たない人々と比較して、切断術の高い発生率と高い割合での運動能力の喪失を経験する。他の肉体的及び心理的因子もまた、糖尿病によるものと考えられてきた。たとえば、糖尿病を患う人は、うつ病及び他の行動の問題についてのリスクが高いことが多い。その分野の進歩にもかかわらず、糖尿病は、依然として、母集団が歳をとるにつれて、また、より多くの子供がその疾病の早期発症型と診断されるにつれて、増加することが予想される重大な問題のままである。
【０００３】
糖尿病などの医療状況を患う人は、しばしば、医師又は他のヘルスケアプロバイダによって決定された処方された医療プランの下で、１つ又は複数の目標に関する適合性を保証するために、自分の血糖値を監視することを絶えず要求される。糖尿病患者は、たとえば、自分の血糖値が許容範囲内にあることを保証するために、１日に４回以上自分の血中グルコースレベルを試験することを要求される。一定の監視に加えて、こうした人は、自分の血糖値を許容可能なレベルに維持するために、厳しい節食及び運動ルーチンに適応すると共に、インスリン治療を受けることを要求されることが多い。
【０００４】
血中グルコースモニタは、血液ストリーム内に含まれるグルコース量を決定するために、糖尿病、低血糖、又は他の血液疾患を患う人によって使用されることが多い。これらの測定器は、通常、ユーザの指をランセットで突き、次に、試験ストリップ上に小さな毛管血液サンプルを設置することによって機能し、試験ストリップは、その後、モニタによって使用されて、サンプル内のグルコース量が検知されることができる。サンプルが採取されると、モニタは、その後、グルコース値を生成し、グルコース値は、ユーザ選好に基づいて、所望の形式（たとえば、「ｍｍｏｌ／Ｌ」又は「ｍｇ／ｄＬ」）でディスプレイスクリーン上に表示されることができる。デバイスによって出力される読みは、その後、人によって使用されて、人の状況がよりよく管理され、必要である場合、矯正処置がとられることができる。
【０００５】
血糖などの医療パラメータを監視することは、しばしば、時間がかかり、面倒な仕事になり、その人が、処方された医療プランの目標に適合していることを保証するために、自分の状況を常にチェックすることを要求する。こうした監視を実施したいという思いは、こうした試験に関連する疼痛及び不都合によって相殺されるか、又は、その方が勝ることが多い。たとえば、１日にわたって複数回、自分の血糖値を試験することを要求される糖尿病患者の場合、こうした自己試験を実施したいという思いは、ランセットで自分の指を突くことに伴う疼痛によって減ずる場合がある。場合によっては、人の自己尊重などの心理的因子又は自己試験を人前で実施することに伴う心理的恥辱などの心理的因子が、こうした監視を実施したいという人の思いに影響を及ぼす場合がある。これらの肉体的及び精神的障害は、特に子供において強く、子供は、自分の試験レジメンを継続することを十分に動機付けされていない場合、幼い年齢で「糖尿病バーンアウト(diabetes   burnout)」
を経験することが多い。
【発明の開示】
【発明が解決しようとする課題】
【０００６】
本発明は、一般に、医療パラメータの監視を奨励するためのプログラム可能な健康監視デバイス、システム、及び方法に関する。
【課題を解決するための手段】
【０００７】
例証的な健康監視デバイスは、血中グルコース又は血圧などの１つ又は複数の医療パラメータを検知するための医療回路要素と、ユーザに対して１つ又は複数の医療パラメータの監視を奨励する報奨アルゴリズム又はルーチンを実行するための報奨回路要素とを備える。報奨回路要素は、ユーザの医療状況に関連する１つ又は複数のプログラムされた目標を含む報奨基準データベースを含むことができる。使用中、報奨アルゴリズム又はルーチンは、報奨基準によって決定された、１つ又は複数の目標に対するユーザの適合度に基づいて、報奨を策定するように構成されることができる。通信インタフェースを利用して、健康監視デバイスと１つ又は複数の遠隔デバイスとの間で、交互に、報奨データ及び医療データのうちの少なくとも一方を送受信することができる。
【０００８】
健康監視デバイスは、医療試験データならびに種々の報奨メッセージ及び動機付けメッセージを表示するのに使用されることができる１つ又は複数のディスプレイスクリーンなどのディスプレイパネルを装備することができる。一部の実施形態では、健康監視デバイスは、さらに、報奨基準によって決定された１つ又は複数の目標に関するユーザの適合性、ならびに、目標に対するユーザの適合度に基づいて獲得した、又は、獲得されることになる任意の報奨の視覚的指示をユーザに提供するための、１つ又は複数の光源を含むことができる。健康監視デバイス内のスピーカによって出力される可聴アラーム又は振動要素によって提供される触知可能フィードバックなどの他の状態インジケータもまた、所望である場合、ユーザに対して設けられてもよい。
【０００９】
健康監視デバイスは、１つ又は複数の医療パラメータの監視を奨励するシステムの一部として使用されることができる。いくつかの実施形態では、たとえば、健康監視デバイスは、有線又は無線通信リンクによって少なくとも１つの遠隔デバイスに接続されることができ、種々の医療データ及び／又は報奨データが、健康監視デバイスとそれぞれの遠隔デバイスとの間で交互に送信されることが可能になる。オンラインベースのシステムでは、健康監視デバイスは、インターネット接続又はイントラネット接続によって１つ又は複数のウェブサイト及び／又は他の遠隔デバイスに接続されることができる。健康監視デバイスに接続されることができる遠隔デバイスの例は、薬局、医薬品ストア、健康クリニック、健康クラブ施設、又はフィットネスセンタなどの遠隔エンティティのコンピュータシステムを含むことができる。遠隔デバイスはまた、血圧モニタ、血中酸素モニタ、及び心臓モニタなどの他の監視デバイス、ならびに、パーソナルコンピュータ、ラップトップコンピュータ、携帯型コンピュータ、携帯電話、ページャ、テレビジョンセット又はケーブルボックス、ビデオゲームコンソール、及びデジタルメディアプレーヤなどの他の外部デバイスを含むことができる。
【００１０】
健康監視デバイスによって１つ又は複数の医療パラメータを監視することについて、報奨を人に提供する例証的な方法は、報奨基準データを健康監視デバイス内に受信するステップと、報奨基準データを、健康監視デバイスによって検知された  １つ又は複数の記憶された医療パラメータと比較するステップと、報奨基準データの１つ又は複数の目標が満たされたかどうかを判定するステップと、１つ又は複数の目標に対するユーザの適合度に少なくとも部分的に基づいて、１つ又は複数の報奨を獲得するようにユーザに促すステップと、その後、報奨を健康監視デバイス内にダウンロードするステップ、及び、報奨又は
褒賞を１つ又は複数の他のデバイスへ送信するステップのうちの少なくとも一方とを備えることができる。
【発明を実施するための最良の形態】
【００１１】
以下の説明は、図面を参照して読まれるべきであり、図面では、異なる図面の同じ要素は同じように番号を付けられている。図面は、いくつかの例証的な実施形態を示し、本発明の範囲を制限することを意図されない。デバイス、システム、及び方法は、連続血中グルコースモニタに関して本明細書で頻繁に述べられるが、他の医療デバイス及び非医療デバイスが、本明細書で述べる特徴の１つ又は複数を組み込むことができることが理解されるべきである。他のデバイスの例は、血圧モニタ、血中酸素モニタ、心臓モニタ、肺活量計、インスリンポンプ、歩数計、スケール、シューズ、運動又はフィットネス機器、パーソナルコンピュータ、ラップトップコンピュータ、携帯型コンピュータ、携帯電話、ページャ、テレビジョンセット又はケーブルボックス、ビデオゲームコンソール、及びデジタルメディアプレーヤを含むが、それに限定されない。
【００１２】
ここで図１を参照すると、例証的な実施形態による健康監視デバイス１０が、ここで述べられるであろう。デバイス１０、例証的には、糖尿病又は低血糖ユーザによる使用のための血中グルコースモニタは、種々の動作状態及び監視情報を表示するディスプレイパネル１２と、種々のコマンド（場合によってはプログラム）をデバイス１０に入力するのに使用されることができるユーザインタフェース１４とを含むことができる。ディスプレイパネル１２及びユーザインタフェース１４は、ユーザから取得された血液サンプルを含む試験ストリップ２０を受け取るようになっているポート１８を有するデバイス１０のハウジング１６内にはめ込まれてもよい。ポート１８に挿入されると、試験ストリップ２０は、ユーザの現在グルコースレベルを決定するために、デバイス１０によって使用されることができ、ユーザの現在グルコースレベルは、その後、図示するように、ディスプレイスクリーン２２上に結果（たとえば、「１０５ｍｇ／ｄＬ」）として出力されることができる。
【００１３】
ディスプレイパネル１２は、液晶ディスプレイ（ＬＣＤ）、発光ダイオード（ＬＥＤ）パネル、タッチスクリーン、又は、ユーザに情報を表示するための他の適した手段を含むことができる。一部の実施形態では、ディスプレイパネル１２は、ディスプレイスクリーン２２上にテキストとグラフィックの両方を表示するように、ユーザインタフェース１４によって構成されることができる、かつ／又は、外部コンピューティングデバイスによって遠隔で構成されることができる。あるいは、また、他の実施形態では、ディスプレイパネル１２は、ディスプレイスクリーン２２上にテキスト文字だけを表示するように、ローカルで、かつ／又は、遠隔で構成されることができる。単一ディスプレイパネル１２だけが、図１に示されるが、複数のディスプレイパネルが情報を表示するのに使用されてもよいことが理解されるべきである。たとえば、監視デバイス１０は、ユーザから取得された１つ又は複数の現在のグルコース試験の読み及び／又は過去のグルコース試験の読みを表示するための第１ディスプレイパネルと、本明細書でさらに説明するように、処方された医療プランの目標に適合する結果として、ユーザが有する、又は、獲得することになる任意の発生した報奨又は褒賞を表示するための第２ディスプレイパネルとを含むことができる。
【００１４】
ディスプレイパネル１２は、電池の現在の充電状態を指示する進行インジケータ２４、現在の時間を指示する時間インジケータ２６、及び現在の日付を指示する日付インジケータ２８を含む、他の情報をユーザに提供するように構成されることができる。第２進行インジケータ３０もまた、ディスプレイスクリーン２２上に設けられることができ、報奨又は褒賞が獲得された、又は、獲得されることになるときを指示する。監視デバイス１０が無線デバイスであるこれらの実施形態では、信号強度測定器３２は、監視デバイス１０と
別の遠隔デバイスとの間の無線接続の信号強度を表示してもよい。
【００１５】
ユーザインタフェース１４は、いくつかのキー、ボタン、ダイアル、及び／又は、他の入力手段、ならびに、場合によっては、監視デバイス１０へのプログラミング、種々のコマンドを含むことができる。たとえば、第１セットのボタン３４、３６を利用して、ディスプレイパネル１２が、いくつかの異なるディスプレイスクリーンの間で交互に切換わるように現在ディスプレイモードが設定される。たとえば、ボタン３４の選択によって、監視デバイス１０が、ユーザの最新のグルコースの読み（複数可）を示すディスプレイスクリーンと、１つ又は複数の以前に記憶されたグルコースの読み又は平均されたグルコースの読みを示すディスプレイスクリーンと、獲得された任意の発生した報奨又は褒賞、及び／又は、ユーザの医療状況に関する他の有用な情報を示すのに使用されることができるディスプレイスクリーンとの間で切換わることができる。次に、ボタン３６の選択によって、デバイス１０がグルコースレベルの読みを表示する形式を、監視デバイス１０が切換えることができる。たとえば、ボタン３６の選択によって、監視デバイス１０が、グルコースレベルの読みの表示を「ｍｍｏｌ／Ｌ」形式と「ｍｇ／ｄＬ」形式との間で切換えることができる。
【００１６】
円ホイールボタン３８がさらに設けられることができて、ユーザが、現在の日付と時間を設定するのに使用されることができるセットアップスクリーンを含む、監視デバイス１０又は外部コンピューティングデバイス内の他のディスプレイスクリーン及び／又は機能にアクセスすること、デバイス１０によって検知された、以前に記憶された任意のグルコースレベルの読みをクリアすること、及び／又は、他のデバイスと通信するために、デバイス１０によって使用される種々のインタフェースパラメータを設定することが可能になる。円ホイールボタン３８を利用して、監視デバイス１０と別の遠隔デバイスとの間で交互にメッセージ及び他のデータを閲覧し、かつ／又は、送出するのに使用されることができる通信スクリーンを含む他の機能にアクセスすることができる。
【００１７】
監視デバイス１０は、さらに、いくつかのタスクを実施するようにユーザに促すと共に、ユーザの現在の健康状態に関する情報をユーザに音声で提供するのに使用されることができるスピーカ４０を装備することができる。スピーカ４０は、たとえば、新しいグルコースレベルの読みを採取するようにユーザに気づかせる可聴アラーム音、新しい報奨又は褒賞が獲得されたことをユーザに知らせる可聴アラーム音、及び／又は、別のデバイスにデータを送信することなど何らかの他のタスクを実施するようにユーザに促す可聴アラーム音を生成するように構成されることができる。電池レベルが低いことをユーザに警告するか、又は、メッセージが受信され、いつでも閲覧できることをユーザに報知する、他の可聴アラーム音が設けられてもよい。一部の実施形態では、スピーカ４０を使用して、デバイス１０によって受信された音声メッセージを出力することができる。たとえば、スピーカ４０を使用して、ユーザの現在の健康状態についてユーザを教育する、ユーザの介護者又は医師による受信されたＭＰ３、ＷＡＶ、又は他の音声ファイルが出力され、また、処方された医療プランに関するユーザの適合性を奨励するための動機付けメッセージが提供されることができる。
【００１８】
アラームのピッチ及び／又はボリュームは、処置をとる重要度、又は、報知のタイプを識別する重要度をユーザに通知するために変えることができる。たとえば、デバイス１０は、可聴アラーム音を第１ピッチで出力し、グルコースレベルの読みを採取するようにユーザに促し、別のアラーム音を第２の識別可能なピッチで出力し、メッセージ及び／又は新しい報奨コードが、閲覧に利用可能であることをユーザに知らせるように構成されることができる。アラーム音のラウドネスは、処置がとられなければならない緊急度に応じて変わってもよい。たとえば、スピーカ４０によって出力されるアラーム音のラウドネスは、ユーザの最後のグルコースレベルの読みからの時間が増加するにつれて、増加する可能
性があり、したがって、新しい測定を行うための緊急のフィードバックをユーザに提供する。アラーム音間の時間が増加する可能性もあり、処置をとる緊急度をユーザに知らせる。一部の実施形態では、監視デバイス１０は、さらに、測定を行うための緊急の触知可能なフィードバックをユーザに提供するのに使用されることができる内部振動要素を装備することができる。
【００１９】
ハウジング１６内にはめ込まれたいくつかの光源（たとえば、ＬＥＤ）を使用して、処方された医療プランのプログラムされた目標に関するユーザの適合性についての状態情報、ならびに、報奨又は褒賞が獲得されたか、又は、獲得されることになるかについての情報がユーザに提供されることができる。ハウジング１６内のＬＥＤの第１アレイ４２は、たとえば、血中グルコース監視に関するユーザの適合性に対する視覚的フィードバックをユーザに提供することができる。ＬＥＤのアレイ４２は、ユーザによって迅速かつ容易に理解されることができる形式で配列されることができる。図１に示す例証的な実施形態では、たとえば、ＬＥＤのアレイ４２は、ストップライト(stop-light)構成で配列された３つの別個のＬＥＤ４４、４６、４８を含むことができ、緑色ＬＥＤ４４の点灯は、完全適合性を示すのに使用され、黄色ＬＥＤ４４は、処置が必要とされる可能性があることを指示するのに使用され、赤色ＬＥＤ４８は、迅速な処置が必要であることを指示するのに使用される。緑色ＬＥＤ４４の点灯は、たとえば、８０〜９０ｍｇ／ｄＬの血中グルコースレベルを指示してもよく、一方、黄色及び赤色のＬＥＤ４６、４８の点灯は、それぞれ、９０〜１００，１０１＋の血中グルコースレベルを指示してもよい。適合性の視覚的インジケータをユーザに提供するために、他の光源構成も利用されることができる。いくつかの実施形態では、監視デバイス１０は、特定の範囲をＬＥＤ４４、４６、４８の１つ又は複数に割当てるようにプログラムされることができる。たとえば、監視デバイス１０内に事前プログラムされたデフォルトの範囲と異なるグルコース範囲を割当てたいとユーザが思う場合、ユーザは、範囲を調整するために、ユーザインタフェース１４上の１つ又は複数の適切なボタンを選択してもよい。
【００２０】
ユーザの処方された医療プランの目標に関する適合の結果として獲得された、又は、獲得されることになる、未使用の任意の報奨又は褒賞をユーザに報知するために、ＬＥＤの第２アレイ５０が設けられることができる。ＬＥＤの第２アレイ５０は、たとえば、患者が請求されていない報奨を有するかどうかを患者に知らせる第１ＬＥＤ５２、及び、報奨又は褒賞が近々得られるか否かをユーザに通知するために使用され得る第２ＬＥＤ５４を備えることが可能である。第１ＬＥＤ５２は、たとえば、ユーザが、所定の期間の間、血中グルコースレベルを首尾よく監視することの結果として新しい報奨コードを受信したときに、点灯されることができる。第２ＬＥＤ５４は、次に、監視デバイス１０内にプログラムされた種々の報奨基準に関するユーザの適合度に基づいて、新しい報奨又は褒賞が妨げられているときに、点灯されることができる。
【００２１】
ＬＥＤ５２、５４の出現レート及び／又は点滅レートは、獲得された任意の報奨又は褒賞の状態をさらに指示するために変えられることができる。たとえば、第１ＬＥＤ５２は、報奨コード又は報奨が獲得されたことを指示する第１の色（たとえば、緑色）を出力するように構成されることができ、一方、ＬＥＤ５２は、報奨又は褒賞が獲得されなかったことを指示する異なる色（たとえば、赤色）を出力するように構成されることができる。あるいは、また、他の実施形態では、ＬＥＤ５２の点滅レートは、獲得された未使用の報奨コード又は報奨の数に応じて調整されてもよい。たとえば、ＬＥＤ５２は、１回点滅し、未使用の１つの報奨コード又は報奨が獲得されたことを指示し、２回点滅し、未使用の２つの報奨コード又は報奨が獲得されたこと、などを指示してもよい。第２ＬＥＤ５４の出現レート及び／又は点滅レートは、やがて起こる報奨又は褒賞が獲得されることになるときの指示をユーザに提供するように、同様に調整されることができる。たとえば、第２ＬＥＤ５４の点滅レートは、獲得されるべき次の報奨又は褒賞について残る時間に比例さ
せられてもよい。
【００２２】
外部通信ポート５５を利用して、パーソナルコンピュータ、ラップトップコンピュータ、携帯型コンピュータ、携帯電話、ビデオゲームコンソール、又は、デジタルメディアプレーヤなどの外部コンピューティングデバイスに監視デバイス１０が接続されることができる。いくつかの実施形態では、たとえば、外部通信ポート５５を利用して、血圧モニタなどの別の監視デバイスに監視モニタ１０が接続されてもよく、ユーザが、２つの監視デバイス間で交互にデータを送信し、かつ／又は、受信することが可能になる。場合によっては、外部通信ポート５５は、プリンタなどの他のデバイスが、所望である場合、監視デバイス１０に接続されることを可能にしてもよい。
【００２３】
図２は、図１の健康監視デバイス１０のいくつかのコンポーネントを示す略図である。図２に見ることができるように、監視デバイス１０は、デバイスハウジング１６内の回路板上に配置される多数の他のコンポーネントに電気接続された報奨回路要素５６を含むことができる。内部クロック回路６０を使用して、現在の時間と日付が維持されると共に、グルコースレベルの読みと読みとの間の継続時間を計時することができる。クロック回路６０は、それぞれのグルコースレベルの読みに日付及び時刻スタンプを提供するように構成されることができ、日付及び時刻スタンプは、読みと共に、ＲＡＭ、ＥＥＰＲＯＭ、又はフラッシュメモリなどの記憶メモリ６２内に記憶されることができる。使用時、クロック回路６０を使用して、ユーザに提供された報奨又は褒賞のタイプ及び／又は頻度が決定されることができる。たとえば、クロック回路６０を使用して、ユーザの誕生日に、又は、３時間おきにユーザが読みを迅速に実施することを処方された医療プランによって要求される場合に、特定の報奨が生成されることができる。
【００２４】
外部クロックインタフェース６４を使用して、所望である場合、監視デバイス１０の時間及び／又は日付を、別の外部タイミングデバイス６６と同期させることができる。一部の実施形態では、外部クロックインタフェース６４を使用して、監視デバイス１０を、心臓モニタ、血圧モニタ、血中酸素モニタ、肺活量計、又はインスリンポンプなどの別の監視デバイスのタイマに同期させることができる。場合によっては、外部クロックインタフェース６４を使用して、無線信号などの遠隔信号源から自動的に時間及び日付が取得されることができる。
【００２５】
外部クロックインタフェース６４を介して受信された外部クロックデータは、内部クロック回路６０によって維持される時間及び日付と比較されて、処方された医療プランについてのユーザの行動適合性パターンを決定することができる。一部の実施形態では、たとえば、外部クロックデータを使用して、医療パラメータのユーザの監視に関連する傾向を決定することができる。たとえば、ユーザが、夕方など、１日の特定の時間に試験レジメンを実施するのが習慣的に遅れる場合、外部クロックデータは、過去の読みに関連する日付及び時刻スタンプと比較されて、こうした試験を実施するための代替の時間を決定することができる。
【００２６】
電池レベル回路６８を使用して、監視デバイス１０に電力供給するのに使用される電池のレベルを監視することができる。電池レベル回路６８は、たとえば、電池の充電量を測定し、電池が少なく、交換又は再充電を必要とすることをユーザに通知するメッセージ又は状態インジケータを（たとえば、ディスプレイスクリーン２２上の進行インジケータ２４によって）出力することができる。一部の実施形態では、電池レベル回路６８は、さらに、充電式電池が使用されるときに、電池が再充電されていることをユーザに知らせるメッセージ又は状態インジケータを出力してもよい。
【００２７】
ＧＰＳ回路は、監視デバイス１０のロケーションを追跡するのに使用されることができ
る全地球測位信号（ＧＰＳ）を受信するように構成されることができる。一部の実施形態では、たとえば、ＧＰＳ回路７０を使用して、ユーザが、ヘルスケアプロバイダからヘルスケアを受けるところの範囲外にいるか、医薬品が購入されることができるストアの近くにいるかを監視することができる。たとえば、ＧＰＳ回路７０によって受信された信号は、マッピングソフトウェア及び／又はハードウェアと連携して利用されて、必要とされる医薬品を購入するための最も近い医薬品ストアに対する方向をユーザに提供することができる。場合によっては、ＧＰＳ回路７０を使用して、処方された医療プランの目標に関するユーザの適合の結果として獲得された報奨又は褒賞を履行すべき場所をユーザに通知することができる。
【００２８】
外部プログラミングインタフェース７２を使用して、監視デバイス１０を外部ユーザインタフェース７４に接続し、それにより、ユーザが、遠隔ロケーシュン及び／又は別のデバイスと対話することが可能になり、また、場合によっては、遠隔ロケーシュン及び／又は別のデバイスからデバイス１０をプログラムすることが可能になる。たとえば、一部の実施形態では、外部プログラミングインタフェース７２を使用して、キーボード、キーパッド、又はデバイス１０にデータを入力するための他の適した手段から監視デバイス１０をプログラムすることができる。場合によっては、外部プログラミングインタフェース７２は、報奨コードが、デバイス１０の製造業者によって、あるいは、ユーザのヘルスケアプロバイダ、保険プロバイダ、又は介護人によってデバイス１０にプログラムされることを可能にしてもよい。外部プログラミングインタフェース７２は、双方向ポート又は非同期ポートを介してプログラミングデータの有線か無線のいずれかの送信を可能にしてもよい。
【００２９】
監視デバイス１０は、さらに、デバイス１０につながっている１つ又は複数の外部デバイス７８、８０、８２の間で交互に種々のコマンド及びデータを送受信するのに使用されることができる通信インタフェース７６を含むことができる。通信インタフェース７６を介して監視デバイス１０に接続されることができる外部デバイスの例は、パーソナルコンピュータ、ラップトップコンピュータ、携帯型コンピュータ（たとえば、ＰＤＡ、Ｂｌｕｅｔｏｏｔｈ、ＰＡＬＭ−ＰＩＬＯＴ）、携帯電話、ページャ、テレビジョン又はケーブルセットボックス、ビデオゲームコンソール、デジタルメディアプレーヤ（たとえば、ＩＰＯＤ、ＭＰ３、又はＭＰＥＧプレーヤ）、販売時点管理デバイス、バーコード読取器、及び車両コントローラを含むことができるが、それに限定されない。血圧モニタ、血中酸素モニタ、心臓モニタ、肺活量計、インスリンポンプ、及び歩数計などの他のヘルスケアデバイスもまた、所望である場合、通信インタフェース７６を介して監視デバイス１０に接続されることができる。場合によっては、通信インタフェース７６は、プリンタなどの他のデバイスが、監視デバイス１０に接続されることを可能にしてもよく、試験データ及び報奨情報が印刷されることが可能になる。
【００３０】
通信インタフェース７６と外部デバイス７８、８０、８２との間の接続は、ＵＳＢケーブル、ＩＥＥＥ３９４ケーブル、イーサネット（登録商標）ケーブル、シリアル（たとえば、ＲＳ２３２）ケーブル、パラレルケーブル、又は光ケーブルなどの有線通信リンクによって達成されることができる。外部デバイス７８、８０、８２への接続もまた、ＲＦ信号（たとえば、８０２．１１ａ、８０２．１１ｂ、８０２．１１ｇ、Ｂｌｕｅｔｏｏｔｈ、Ｚｉｇｂｅｅなど）又は赤外信号（たとえば、ＩＲＤＡ）などの有線通信リンクによって達成されることができる。一部の実施形態では、外部デバイス７８、８０、８２の１つ又は複数への接続は、ダイアルアップ接続、ＤＳＬ接続、ケーブルブロードバンド接続、又は、同様なものによるインターネットによって達成されることができる。変換器モジュール８４を使用して、接続線を通じて交互に送出されたデータを変換する、場合によっては、暗号化することができる。たとえば、変換器モジュール８４を使用して、グルコースレベルの読みを、監視デバイス１０につながる別のデバイスによって送信され、復号され
ることができる、異なり、かつ、よりセキュアな形式に変換することができる。
【００３１】
報奨回路要素５６は、グルコースレベルを監視するときのユーザの進行を監視し、監視デバイス１０によってプログラムされた報奨基準に関するユーザの適合性に基づいて報奨又は褒賞を処方するのに使用されることができる１つ又は複数の報奨アルゴリズム又はルーチン８６を実行するように構成されることができる。図３にさらに見られることができるように、報奨回路要素５６は、ユーザが、報奨基準データベース９０からの１つ又は複数の報奨基準を満たすときに提供されることができる１つ又は複数の報奨コードを含むルックアップテーブルなどの報奨コードデータベース８８を含むことができる。たとえば、糖尿病ユーザの場合、報奨回路要素５６は、ユーザが、一連のグルコースレベルの読みを時間通りに首尾よく終了するときか、ユーザのグルコースレベルが、ある期間の間、ある範囲内に維持されるときか、又は、他のこうした目的で、１つ又は複数の報奨コードをユーザに提供するように内部的に又は外部的に構成されることができる。報奨コードデータベース８８内に含まれる報奨コードは、バーコード、英数字、１６進文字、又は、他のタイプの暗号化コードとして提供されることができる。使用時、報奨アルゴリズム又はルーチン８６は、１つ又は複数の医療パラメータのユーザの監視が、データベース９０内にプログラムされた報奨基準を満たすかどうかを判定するために、種々の計算機能を実施するように構成されることができる。
【００３２】
報奨回路要素５６は、さらに、処方された医療プランの目標に関する患者の適合性を奨励するのに使用されることができるいくつかの動機付けメッセージを含む動機付けメッセージデータベース９２を含むことができる。いくつかの実施形態では、たとえば、報奨回路要素５６は、報奨基準に関するユーザの適合性に基づいてトリガーされる動機付けメッセージを生成するように構成されることができ、動機付けメッセージは、その後、テキストメッセージ及び／又はグラフィックとしてディスプレイスクリーン上に表示されるか、又は、可聴メッセージとしてスピーカから出力されることができる。報奨回路要素５６は、１日のある時間に、かつ／又は、ユーザの行動パターンに応答して、動機付けメッセージを出力するように構成されることができる。たとえば、グルコースレベルの読みを採取するときに、ユーザが十分に１時間を経過していると報奨回路要素５６が判定する場合、報奨回路要素５６は、測定を行うことをユーザに奨励する１つ又は複数の動機付けメッセージをディスプレイスクリーン上に表示してもよい。
【００３３】
報奨基準に関するユーザの適合性、ユーザの個人情報、ならびに他の因子に基づいて他のタイプのメッセージもまた、データベース９２内に記憶されてもよい。たとえば、また、一部の実施形態では、データベース９２はまた、監視デバイス１０内にプログラムされた基準、及び／又は、監視デバイス１０につながる別の外部コンピューティングデバイスによって提供される基準に基づいてユーザに提供されることができる販売促進用の広告メッセージ又は特別な提案を含んでもよい。１つの例証的な実施形態では、特定の小売業者の製品に関する広告メッセージが、監視デバイス内に事前プログラムされてもよい。こうした広告を出すのと交換に、小売業者は、主催料金を算定されることができる。
【００３４】
報奨回路要素５６は、医療回路要素９４から光学的に分離されることができる、又は、医療回路要素９４と一体に形成されることができる。動作中、医療回路要素９４は、通信リンク９６を介して報奨回路要素５６の医療データを送信するように構成されることができ、医療データは、その後、受信され、測定が行われた日付及び時間に相当する日付及び時間タイムスタンプと共に、メモリ内に記憶されることができる。報奨コード、報奨基準、及び動機付けメッセージを含む報奨回路要素５６は、ハードウェア及び／又はソフトウェアとして実施されることができ、また、オンボードユーザインタフェース、外部ユーザインタフェース、コンピュータなどの外部デバイス、及び／又は、インターネットによってプログラムされることができる。一部の実施形態では、報奨コード、報奨基準、販売促
進及び動機付けメッセージは、工場、サービス用キオスク、又は他のこうしたロケーションで事前プログラムされることができる。報奨コード、報奨基準、及び動機付けメッセージのプログラミングは、無線接続か有線接続で、遠隔かローカルで、ディップスイッチを設定することによって、又は、他の手段によって達成されることができる。
【００３５】
一部の実施形態では、報奨回路要素５６は、報奨コードを別のフォーマットに変換するように構成されることができる。たとえば、報奨回路要素５６は、英数字メッセージとして提供された報奨コードを採取し、そのメッセージを可聴メッセージ、プリンタファイルなどのような別の電子形式に変換するように構成されることができる。報奨コードの変換は、たとえば、図２に関して上述した変換器モジュール８４を使用して達成されることができるが、コードを変換する他の手段が可能である。場合によっては、報奨回路要素５６は、複数の報奨コードが、所望である場合、履行のために組合されることを可能にしてもよい。
【００３６】
図４は、健康監視デバイス１０によって使用されるＬＥＤの点灯状態を自己チェックする例証的な光学システム９８の線図である。図４に示すように、漢詩デバイス１０は、さらに、ＬＥＤ４４、４６、４８のそれぞれにつながる別個のコントローラ１００又は複数のコントローラを含んでもよい。コントローラ１００は、たとえば、ＬＥＤ４４、４６、４８のそれぞれに信号を送出するようになっている、報奨回路要素５６又は医療回路要素９４の一部を備えてもよく、信号が、報奨アルゴリズム又はルーチン８６によって行われる計算に基づく所望の方法で点灯する。
【００３７】
ＬＥＤ４４、４６、４８の１つ又は複数が焼損するか、又は、その他の方法で動作しなくなる場合に、システム９８に対して、あるレベル又は冗長性を提供するために、それぞれのＬＥＤ４４、４６、４８に隣接して配置された光学検出器１０２、１０４、１０６は、ＬＥＤ４４、４６、４８のそれぞれの点灯状態をコントローラ１００に知らせる信号を、コントローラ１００に返送するように構成されることができる。たとえば、光学検出器１０２、１０４、１０６は、ＬＥＤ４４、４６、４８によって出力される光の波長などの他の情報を検知して、ＬＥＤ４４、４６、４８が適切に機能しているかどうかを判定するように構成されることができる。光学検出器１０２、１０４、１０６は、ＬＥＤ４４、４６、４８と別個のコンポーネントであることができる、又は、ＬＥＤ４４、４６、４８と一体に形成されることができる。光学検出器１０２、１０４、１０６を使用して、ＬＥＤ４４、４６、４８が適切に機能しているかどうかを判定することができるが、所望である場合、ＬＥＤ４４、４６、４８の動作状態をチェックする他の適した手段が使用されてもよいことが理解されるべきである。
【００３８】
ＬＥＤ４４、４６、４８の点灯状態の比較は、単一コントローラ又は複数コントローラを使用して達成されることができる。複数のコントローラが使用されるとき、それぞれのコントローラによって取得される監視情報は、互いに比較されて、ＬＥＤが適切に機能していないかどうかを判定することができる。ＬＥＤの状態が同じ場合、許容可能な監視状態が存在する。単一コントローラが使用されると、それぞれのＬＥＤ及び対応するセンサについての、４つの入力がコントローラに提供されることができる。たとえば、コントローラの第１入力ピンは、ＬＥＤ及びセンサからの第１セットの入力を受信することができ、一方、コントローラの第２入力ピンは、ＬＥＤ及びセンサからの第２セットの入力を受信することができる。コントローラは、その後、第１セットの入力を第２セットの入力と比較して、許容可能な監視状態が存在するかどうかを判定することができる。
【００３９】
ここで図５を参照すると、健康監視デバイスを使用して１つ又は複数の医療パラメータを監視することについて、報奨又は褒賞をユーザに提供する例証的な方法１０８が、ここで述べられるであろう。方法は、一般的に、外部源から報奨データを取得するステップを
有するブロック１１０で始まってもよい。ステップ１１０は、たとえば、ウェブサイトから、又は、監視デバイスにつながる別の外部デバイスから、報奨基準データ及び／又は１つ又は複数の報奨コードをダウンロードするプロセスを含んでもよい。監視デバイスが、たとえば、血中グルコースモニタである実施形態では、報奨基準は、血圧を下げる、運動レベルを上げる、血糖値を下げるなどのような、ユーザの処方された医療プランに関連する１つ又は複数の目標を含んでもよい。報奨データは、さらに、ある期間の間、いくつかのグルコースレベルの読み採取することについて、かつ／又は、そのグルコースレベルをある範囲内に維持することについて、ユーザに報奨を与えるのに使用されることができる１つ又は複数の報奨コードを含むことができる。報奨基準及び報奨コードは、通常、患者の特定の医療状況、監視デバイスのタイプ、患者の性別及び年齢、ならびに、他の因子に依存するであろう。
【００４０】
ステップ１１０にて、監視デバイスが報奨基準データを取得すると、監視デバイスは、一般にブロック１１２で示されるように、報奨基準データを、デバイスによって以前に取得された履歴監視データと比較してもよい。いくつかの実施形態では、たとえば、比較ステップ１１２は、グルコースレベルがチェックされる時間及び日付を含むグルコース監視スケジュールを、メモリに記憶された以前に取得された１つ又は複数のグルコースレベルと比較するステップを含むことができる。こうしたステップは、たとえば、報奨回路要素によって、かつ／又は、監視デバイスにつながる外部デバイスから実施されてもよい。日付及び時刻スタンプは、報奨基準を実際の測定値と比較するために、ユーザの以前に記憶した試験データに関連して提供されてもよい。日付及び時刻スタンプは、たとえば、監視デバイスの内部クロックによって、又は、外部源によって提供されてもよい。使用時、報奨コードを発表する適切な時間を決定するために、内部クロック又は外部クロックが、報奨回路要素によって使用されることができる。
【００４１】
決定ブロック１１４にて、報奨回路要素が、報奨基準の少なくとも１つの目標が満たされたと判定する場合、一般にブロック１１６で示されるように、監視デバイスは、報奨又は褒賞が獲得されたことをユーザに知らせる報奨インジケータをユーザに提供するように構成されることができる。たとえば、ユーザが、１週間などの所定の期間の間、ある範囲内にグルコースレベルを首尾よく維持する場合、監視デバイスは、ユーザが、自分の目標のうちの１つを達成したことをユーザに知らせる報奨インジケータ１１６を出力するように構成されることができる。ステップ１１６にて提供される報奨インジケータは、監視デバイスのディスプレイスクリーン上に設けられた視覚的報知、及び／又は、ユーザが報奨又は褒賞を獲得したことをユーザに知らせるスピーカによって出力される可聴報知の形態であってよい。一部の実施形態では、視覚的報知はまた、外部コンピューティングデバイスのディスプレイスクリーン上に提示されてもよい。報奨又は褒賞が獲得されたことをユーザに通知する触知可能なフィードバック（たとえば、監視デバイス内の内部振動要素によって生成される）もまた設けられてもよい。報奨又は褒賞を受け取ることによってユーザに視覚的報知を提供する例証的な方法は、図８〜１０を参照して本明細書で述べられる。
【００４２】
決定ブロック１１１４にて、ユーザが、報奨基準を首尾よく満たさなかったと、報奨回路要素が判定する場合、一般に矢印１１８で示されるように、ユーザが、報奨基準からの目標のうちの１つを満たすまで、監視デバイスは、報奨データをユーザの履歴データと比較するステップ１１２を継続してもよい。
報奨の獲得をユーザが通知されると、一般にブロック１２０でさらに示されるように、監視デバイスは、さらに、報奨を獲得するようにユーザを促してもよい。たとえば、監視デバイスは、その報奨を獲得する方法に関する命令に従って報奨が獲得されたことをユーザに知らせるメッセージをディスプレイスクリーン上に出力してもよい。プロンプト表示によって指示されると、一般にブロック１２２で示されるように、報奨コードをダウンロー
ドするために、必要である場合、監視デバイスが外部デバイスに接続させるようにするディスプレイスクリーン上の命令にユーザが従ってもよい。たとえば、ステップ１２０にて、監視デバイスが、獲得された報奨を入手するためのＵＲＬアドレスを提供する場合、ユーザは、監視デバイス又は何らかの他の外部デバイスを使用してウェブサイトを訪問して、報奨を履行してもよい。一般にブロック１２４で示されるように、ユーザは、その後、報奨を監視デバイスにダウンロードしてもよい、かつ／又は、報奨を別のデバイスに送信してもよい。たとえば、報奨は、ポップアップ広告として、パーソナルコンピュータ又は携帯型コンピュータのディスプレイスクリーンに出力されてもよい。場合によっては、監視デバイスはまた、報奨がダウンロードされた、かつ／又は、履行された時間を追跡してもよい。
ユーザが報奨を獲得すると、一般にブロック１２６で示されるように、監視デバイスは、メモリから報奨が付された条件をクリアするようにユーザに促す。たとえば、また、一部の実施形態では、報奨又は褒賞は、ユーザインタフェース上の１つ又は複数のボタンを選択することによって、又は、電池を取り外すことによって、手作業でクリアされることができる。他の実施形態では、監視デバイス内の内部クロックを使用して、報奨又は褒賞がクリアされるかどうかを自動的に判定してもよい。たとえば、監視デバイスは、ある期間（たとえば、１週間）が経過した後、又は、報奨コードが履行された後、報奨コードを自動的に削除してもよい。一般にブロック１２８で示されるように、報奨データは、その後、メモリから消去されることができる。
図６は、健康監視デバイスを使用してユーザに報奨状態インジケータを提供する例証的な方法１３０のフロー図である。方法１３０は、たとえば、図５に関して上述したブロック１１６と共に実施されるいくつかの例証的なステップを示してもよい。図６に示すように、方法１３０は、報奨又は褒賞がユーザによって獲得されたと、監視デバイス用の報奨回路要素が判定するときのブロック１３２で一般に始まってもよい。報奨が獲得されたという判定は、たとえば、図５のブロック１１２，１１４に関して上述した判定と同様な方法で達成されることができ、監視デバイスは、外部源及び／又は監視デバイス内に記憶された所定の報奨基準から取得される報奨基準データをデバイスから取得される履歴監視データと比較する。
報奨基準からの１つ又は複数の目標が満たされたと、監視デバイスが判定すると、一般にブロック１３４で示されるように、デバイスは、報奨又は褒賞が獲得されたことをユーザに通知する視覚的インジケータを出力するように構成されることができる。たとえば、ブロック１３４にて、監視デバイスは、報奨又は褒賞が獲得されたことを指示するテキストメッセージを監視デバイスのディスプレイスクリーン上に提供してもよい。一部の実施形態では、たとえば、監視デバイスは、スクリーン上にユーザの最新のグルコースレベルを表示することと、報奨又は褒賞が獲得された、又は、獲得されることになるということを記述するテキストメッセージを表示することを交互に行ってもよい。さらに、報奨又は褒賞が獲得された、又は、獲得されることになることをユーザに知らせる１つ又は複数の光源が、監視デバイス上で点灯されてもよい。たとえば、図１に関して上述した例証的な監視デバイス１０に関して、ＬＥＤ５２、５４は、報奨又は褒賞が獲得された、又は、獲得されそうであることをユーザに通知する特定の方法で、点灯する、又は、色を変えてもよい。
一般にブロック１３６にさらで示されるように、監視デバイスは、さらに、報奨又は褒賞が獲得されたことをユーザに知らせる可聴報知又は可聴メッセージを出力してもよい。いくつかの実施形態では、たとえば、監視デバイスは、デバイスによって出力される他のアラーム音と識別されることができる可聴ビープ又は音をスピーカから出力してもよい。コンピュータシミュレートされた音声は、さらに、その報奨を獲得する方法に関する命令に従って報奨が獲得されたことをユーザに通知してもよい。
報奨又は褒賞が獲得されたことをユーザに通知する他の手段が、監視デバイスによって提供されてもよい。たとえば、また、一般にブロック１３８で示されるように、監視デバイスは、ある期間の間、振動するように構成されることができ、報奨又は褒賞が獲得された
という触知可能なフィードバックをユーザに提供する。一般にブロック１４０で示されるように、監視デバイスはまた、ｅｍａｉｌメッセージ又はインスタントメッセージをコンピュータ又は携帯電話などの別の外部デバイスに送出するように構成されることができる。たとえば、監視デバイス用の通信インタフェースを使用して、ユーザ特定のｅｍａｉｌアドレスへｅｍａｉｌを送出し、かつ／又は、ユーザの携帯電話にＳＭＳメッセージを送出することができ、ユーザが、インターネットによって、又は、ユーザの携帯電話サービスプロバイダを通して、獲得された報奨又は褒賞を閲覧し、場合によっては、獲得することが可能になる。
図７は、健康監視デバイスの内部クロック回路要素を使用して、報奨又は褒賞をトリガーする例証的な方法１４２のフロー図である。方法１４２は、監視デバイスが、ユーザから１つ又は複数の試験結果を受信するブロック１４４で一般に始まってもよい。ブロック１４４は、たとえば、試験ストリップを監視デバイスに挿入することによって、１つ又は複数のグルコースレベルの読みを取得するステップ、又は、血圧カフを使用して、１つ又は複数の血圧の読みを採取するステップを示してもよい。しかし、ブロック１４４で受信される試験結果は、通常、使用される監視デバイスのタイプに応じて変わるであろう。
それぞれの試験の読みが、監視デバイスによって受信され、処理されると、一般にブロック１４６で示されるように、それぞれの試験結果に対応する日付及び時刻スタンプが、医療回路要素に送信され、それぞれの試験の読みに対応する医療データと共に記憶されることができる。一般にブロック１４８で示されるように、医療回路要素は、その後、試験結果の１つ又は複数についての日付及び時間情報を報奨回路要素に返送してもよい。一般にブロック１５０で示されるように、報奨回路要素は、その後、それぞれの試験結果についての日付及び時間データをメモリに記憶してもよい。
決定ブロック１５２にて、報奨回路要素は、その後、日付及び時間データが正確であるかどうかを判定してもよい。日付及び時間データの正確さの判定は、たとえば、実際の試験結果の日付及び時間データを、内部クロックを同期させるのに使用される外部クロック源と比較することによって達成されることができる。ブロック１５２にて、日付及び時刻スタンプが正確でないと、報奨回路要素が判定する場合、一般にブロック１６０で示されるように、報奨回路要素は、日付及び時間データをリセットしてもよい。一般にブロック１５６で示されるように、ブロック１４４にてユーザ入力を受信するプロセスが繰り返されることができる。しかし、決定ブロック１５２にて、日付及び時刻スタンプが正確であると、報奨回路要素が判定する場合、一般にブロック１５８で示されるように、監視デバイスは、報奨アルゴリズムを始動するように構成されることができる。一般にブロック１６０で示されるように、監視デバイスは、その後、報奨基準データベース内にプログラムされた報奨基準に基づいて１つ又は複数の報奨を発行てもよい。方法１４２は、その後、それぞれの新しい試験結果が取得されるにつれて、１回又は複数回、繰り返されることができる。
図８〜１０は、図１の監視デバイス１０のいくつかの斜視図であり、報奨又は褒賞が獲得されたことを指示する視覚的インジケータをユーザに提供するいくつかの例証的なステップを示す。図１の最初の図に見られるように、監視デバイス１０は、報奨又は褒賞が獲得されたときに、ディスプレイスクリーン２２上で報奨状態インジケータ１６２を点滅するように構成されることができ、報奨又は褒賞が入手可能であることをユーザに知らせる。報奨状態情報をユーザに提供する他の手段が、本明細書で説明するように設けられてもよく、ＬＥＤ５２、５４の点灯、スピーカ４０による可聴報知を設けること、及び／又は、外部コンピューティングデバイスのディスプレイスクリーン上への同時表示を含む。
全体が図８に示される主スクリーンから、報奨又は褒賞に関するより多くの情報をユーザに提供する別個の報奨スクリーン１６４にユーザがアクセスしてもよい。たとえば、また、図９に示す第２の図に示すように、監視デバイスは、獲得された各報奨についての報奨コード（たとえば、「００１２」、「０１０１」など）のリスト１６６、ユーザが、現在、処方された医療プランに適合しているかどうかを指示するメッセージ１６８、及び、１つ又は複数の報奨コードが履行されたかどうかを指示するメッセージ１７０を提供しても
よい。現在の時間及び日付などの他の情報は、さらに、所望である場合、報奨スクリーン１６４上に設けられてもよい。報奨スクリーン１６４へのアクセスは、ユーザインタフェース１４上の１つ又は複数のボタンを選択することによって、かつ／又は、外部コンピューティングデバイスによって遠隔で、達成されることができる。あるいは、また、他の実施形態では、監視デバイス１０は、所望である場合、主ディスプレイスクリーン２２を表示することと、報奨スクリーン１６４を表示することを自動的に交互に行うように構成されることができる。
図１０は、監視デバイス１０の別個の動機付けディスプレイスクリーン１７４上に表示された動機付けメッセージ１７２を示す斜視図である。図１０に示すように、監視デバイス１０は、ユーザが、医療プランの目標に適合するように奨励するために、ディスプレイスクリーン１７４上に１つ又は複数の動機付けメッセージ１７２を表示するように構成されることができる。動機付けメッセージ１７２は、インターネット上のウェブサイトによって、別の外部デバイスから監視デバイス１０内にダウンロードされることができる、又は、デバイス１０に事前プログラムされることができる。
図１１は、１つ又は複数の医療パラメータを監視することについて、健康監視デバイス１０のユーザ１８に報奨を与える例証的な報奨システム１７６を示す線図である。図１１に示すように、監視デバイス１０は、ユーザの以前の試験の読みなどの適合性データ１８０を１つ又は複数の遠隔エンティティ１８２のコンピュータシステムに送信するように構成されることができる。例証的なエンティティ１８２は、たとえば、薬局、健康クリニック、又は、他のこうしたビジネスエンティティを含んでもよく、それを通して、ユーザ１７８は、通常、インスリンポンプ、シリンジ、及び試験ストリップなどの医薬品を購入する。他のエンティティ１８２の例は、保険会社、自家保険雇用者、小売業者、健康クラブ、及びフィットネスセンタを含むことができるが、それに限定されない。エンティティ１８２のタイプは、通常、ユーザ１７８の特定の医療状況ならびに使用される監視デバイス１０のタイプに応じて変わるであろう。たとえば、高血圧を患う個人の場合、関与エンティティ１８２は、健康クラブ施設あってよく、監視デバイス１０は、血圧モニタであってよい。
関与エンティティ１８２への適合性データ１８０の送信は、有線接続又は無線接続によって起こる可能性があり、関係する遠隔エンティティ１８２のタイプに応じて変わってもよい。たとえば、薬局又は健康クリニックなどのビジネスの場合、適合性データ１８０の送信は、ユーザがストア又はクリニックに入ったときに、一定間隔（たとえば、１日に1 回、１週間に１回、１ヶ月に１回など）で、報奨又は褒賞が獲得されたときに、又は、何らかの他の所望の基準で自動的に起こってもよい。適合性データ１８０はまた、監視デバイス１０上の１つ又は複数のボタンの選択によって、又は、ユーザによってとられる何らかの故意の行為によって手作業で送出されることができる。場合によっては、ユーザは、適合性データ１８０の使用のためにエンティティ１８２を変更してもよい。
一部の実施形態では、遠隔エンティティ１８２に送出された適合性データ１８０は、所望される場合、別の形式に変換されてもよい。たとえば、適合性データ１８０は、ＭＰ３、ＭＰＥＧ、ＷＡＶなどのようなマルチメディア形式に変換されてもよく、第３者による傍受を防止するために暗号化されることができる。
遠隔エンティティ１８２に送信された適合性データ１８０は、報奨ライブラリデータベース１８４内に記憶されることができ、その後、エンティティの報奨基準に関するユーザの適合性に基づいて、顧客の忠誠度及び／又は贔屓ならびに他の因子に基づいて、１つ又は複数の報奨又は褒賞を生成するのに使用されることができる。たとえば、遠隔エンティティ１８２が、薬局などの医薬品ストアである場合、送信される適合性データ１８０を使用して、インスリンポンプ、シリンジ、試験ストリップなどのような医薬品の購入用の値引きクーポンの形態の報奨又は褒賞を生成することができる。現金払い戻し又はクレジットなどの他の報奨又は褒賞はまた、エンティティ１８２によって確立された報奨基準に関するユーザの適合性に基づいて設けられてもよい。たとえば、報奨又は褒賞は、ユーザのグルコースレベルの読みに基づく糖尿病試験ストリップ用の値引きクーポンの形態であって
よい。一部の実施形態では、ユーザの健康に関係しない報奨又は褒賞が、ユーザ１７８に提供されてもよい。たとえば、報奨又は褒賞は、ユーザ／顧客が、ゲーム、アクティビティ、又は、遠隔エンティティのウェブサイト上の他のこうした報奨にアクセスできることを可能にするアクセスコードの形態であってよい。
遠隔エンティティ１８２によって生成される報奨又は褒賞は、ユーザの監視デバイス１０に送り返されることができ、図５に関して先に説明した方法と同様な方法で履行されることができる。一般に矢印１８６で示されるように、関与エンティティ１８２は、報奨コード又はクーポンをユーザの監視デバイス１０に送信してもよく、報奨コード又はクーポンは、その後、遠隔エンティティ１８２で、別のストアで、ウェブサイト上で、かつ／又は、何らかの他のロケーションで、後で履行されることができる。関与エンティティ１８２によって生成された報奨又は褒賞はまた、履行のために別のロケーションに送信されてもよい。たとえば、報奨又は褒賞は、販売時点管理において自動的に履行されることができる、エンティティのストア内のキャッシュレジスタに、又は、オンライン値引き又は他のこうした報奨を取得するために、ユーザによって後でアクセスされることができるウェブサイトに送信されてもよい。使用時、監視デバイス１０に提供される報奨コードは、遠隔エンティティのビジネスプランの一部として使用されて、顧客の維持を達成し、また、顧客の忠実度を高めることができる。
一般に矢印１８８で示されるように、遠隔エンティティ１８２は、さらに、任意の特別品、価格低減、まとめ買い値引き、及び／又は、購入時に入手可能である新製品をユーザに知らせる１つ又は複数の広告をユーザの監視デバイス１０に送信してもよい。広告１８８は、ユーザの特定の医療状況に基づいて対象を絞られることができ、又は、母集団の大きな部分集合に提供されることができる。たとえば、対象を絞った広告は、糖尿病患者に提供されることができ、糖尿病患者に、売り出し中のいくつかの糖尿病製品及び／又は重要である可能性がある任意の新製品を知らせる。喘息を患う個人の場合、広告は、アレルギー軽減薬及び／又は空気ろ過製品などの他の関連製品に相対応してもよい。場合によっては、ユーザに提供される広告１８８は、ユーザの適合性データ１８０に基づいてもよい。図１２は、１つ又は複数の医療パラメータを監視することについて、健康監視デバイス１０のユーザ１９２に報奨を与える例証的なオンライン報奨システム１９０を示す線図である。図１２に示すように、監視デバイス１０は、種々の製品及びストア情報、広告、値引きクーポン、ならびに他の情報を取得するために、ユーザ１９２によってアクセスされることができる報奨ライブラリデータベース１９８をそれぞれが有する、１つ又は複数の遠隔エンティティウェブサイト１９６を含む１つ又は複数のオンラインコンポーネントに、インターネット又はイントラネット接続１９４によって接続されることができる。例示的な遠隔ウェブサイト１９６は、たとえば、専用の報奨ウェブページを有するオンライン薬局又は医薬品ストアを含んでもよく、専用の報奨ウェブページは、１つ又は複数の獲得された報奨又は褒賞を閲覧する、かつ／又は、獲得するために、ユーザによってアクセスされることができる。監視デバイス１０は、さらに、処方された医療プランに関するユーザの適合性についての情報を記憶する記憶域２０２、受け取られた任意の過去の報奨又は褒賞、別の報奨又は褒賞が受け取られることになる予想時間、ならびに他の情報をそれぞれが含む、１つ又は複数の他のウェブサイト２００にリンクされてもよい。いくつかの実施形態では、たとえば、他のウェブサイト２００のうちの１つは、ユーザ自身の個人用のウェブサイトあるいはヘルスケアプロバイダ又は健康保険プロバイダのウェブサイトを含んでもよい。
図１２でさらに見られるように、１つ又は複数の他の監視デバイス２０４及び／又は他の外部デバイス２０６はまた、監視デバイス１０ならびに遠隔エンティティウェブサイト１９６及び他のウェブサイト２００にインターネット又はイントラネット接続１９４によってリンクされることができる。接続されることができる他の監視デバイス２０４は、血圧測定器、血中酸素モニタ、インスリンポンプ、連続グルコースモニタ、人工装具デバイス、シューズ、スケール、歩数計、運動機器、心臓モニタ、及び肺活量計を含むことができるが、それに限定されない。接続されることができる他の外部デバイス２０６は、パーソ
ナルコンピュータ、ラップトップコンピュータ、携帯型コンピュータ、携帯電話、ページャ、テレビジョンセット又はケーブルボックス、ビデオゲームコンソール、及びデジタルメディアプレーヤを含むことができるが、それに限定されない。１つの例証的な実施形態では、たとえば、テレビジョン又はケーブルセットボックスは、インターネット１９４によって監視デバイス１０に接続されることができ、ユーザ１９２が、監視デバイス１０と他のコンポーネント１９６、２００、２０４、２０６の１つ又は複数との間で交互に、データ及びメッセージを送受信することを可能にする。
図１３は、図１２のオンライン報奨システムの例証的な実施態様を示す線図である。図１３に示すように、監視デバイス１０は、種々の製品及びストア情報、広告、値引きクーポン、ならびに、他の情報を取得するために、ユーザ１９２によってアクセスされることができる報奨ライブラリデータベース２１０をそれぞれが含む１つ又は複数の小売業ウェブサイト２０８に接続されることができる。監視デバイス１０はまた、報奨ライブラリデータベース２１４をそれぞれが含む１つ又は複数の金融機関ウェブサイト２１２に接続されることができる。例示的な金融機関ウェブサイトは、ユーザ１９２がそことビジネスを行うクレジットカード会社又は銀行を含んでもよい。報奨ライブラリデータベース２１４内の報奨基準に関するユーザの適合性に基づいて、クレジットカード会社又は銀行は、ユーザの口座にクレジット又はリベートなどの報奨又は褒賞をユーザに提供してもよい。
監視デバイス１０はまた、報奨ライブラリデータベース２１８をそれぞれが含む１つ又は複数の保険ウェブサイト２１６に接続されることができる。いくつかの実施形態では、たとえば、保険ウェブサイト２１６は、ユーザの健康保険プロバイダのウェブサイトを含んでもよい。報奨ライブラリデータベース２１８内の報奨基準に関するユーザの適合性に基づいて、保険プロバイダは、健康保険掛け金又は患者負担金の低減などの報奨又は褒賞をユーザに提供してもよい。同様に、監視デバイス１０は、報奨ライブラリデータベース２２２をそれぞれが含む１つ又は複数の健康／フィットネスクラブウェブサイト２２０に接続されることができる。報奨ライブラリデータベース２２２内の報奨基準に関するユーザの適合性に基づいて、健康／フィットネスクラブは、会員料金の低減などの報奨又は褒賞をユーザに提供してもよい。図１３にさらに示すように、監視デバイス１０は、限定はしないが、携帯電話２２４、パーソナルコンピュータ２２６、血圧モニタ２２８、及び／又はケーブル／テレビジョンセットボックス２３０を含む１つ又は複数の他のデバイスに接続されることができる。
図１４は、１つ又は複数の医療パラメータを監視することについて、監視デバイス１０のユーザ２３４に報奨を与える例証的な車両報奨システム２３２を示す線図である。図１４に示すように、監視デバイス１０は、車両２４０の車両コントローラ２３８へ適合性データ２３６を送信するように構成されることができ、適合性データ２３６は、コントローラ２３８によって使用されて、運転者の現在の医療状況及び／又は１回又は複数回の運転者の最新の読みに基づいて、運転者２３４が車両２４０を始動することを可能にするかどうかが判定されることができる。糖尿病患者の場合、たとえば、監視デバイス１０は、最新の数回のグルコースレベルの読みを車両コントローラ２３８に送信するように構成されることができ、グルコースレベルの読みは、その後、コントローラ２３８によって使用されて、監視デバイス１０から受信された適合性データ２３６に基づいて、車両始動システム２４２及び／又は操縦桿ロック２４８を起動するかどうかが判定されることができる。たとえば、運転者のグルコースレベルが、高過ぎる（たとえば、１０１を越える）と判定される場合、車両コントローラ２３８は、車両始動システム２４２及び／又は操縦桿ロック２４８を停止するように構成されることができ、運転者のグルコースレベルが、ある範囲内になるまで、運転者２３４が車両２４０を運転することを防止する。こうした場合、車両コントローラ２３８は、運転者のグルコースレベルが高過ぎて、車両２４０の安全運転ができないことを運転者２３４に通知するメッセージ２３７を、監視デバイス１０及び／又はナビゲーションシステム上で見出されるディスプレイスクリーンなどの何らかの他のディスプレイスクリーンに送り返してもよい。監視デバイス１０は、その後、車両２４０を運転する前に、別の測定を行うように運転者２３４に促すことができる。
車両コントローラ２３８によって受信された適合性データ２３６はまた、車両２４０の他のコンポーネントに出力されることができる。たとえば、また、図１４でさらに示すように、車両コントローラ２３８は、車両音声システム２４４、ＧＰＳナビゲーションユニット２４６、車両操縦桿ロック２４８、車両セキュリティアラームシステム２５０、及び／又は、衛星支援システム２５２に接続されることができる。車両音声システム２４４は、たとえば、可聴アラームを生成し、測定を行うよう運転者２３４に通知し、運転者のレベルが範囲外である場合にユーザに警報を与えるなどを行うように利用されることができる。次に、車両セキュリティアラームシステム２５０を使用して、運転者２３４が補助を必要とする可能性があるという指示を他の個人に提供することができる。たとえば、車両セキュリティアラームシステム２５０は、運転者のグルコースレベルが、ある範囲内に入る場合、車両上の緊急光源が自動的にフラッシュするようにさせてもよい。衛星支援システム２５２を装備する車両では、こうした情報は、どんな緊急サービスを急派すべきかに関するより詳細な情報をオペレータに提供するために、オペレータに中継されることができる。
ＧＰＳユニット２４６を装備する車両では、監視デバイス１０は、さらに、車両ＧＰＳマッピングソフトウェアと共に使用されて、必要とされる医薬品を購入するための最も近くの医薬品ストアに至る方向、最も近くの緊急施設のロケーションなどを運転者２３４に与えてもよい。一部の実施形態では、ＧＰＳマッピングソフトウェアを使用して、獲得された、又は、獲得されることになる報奨又は褒賞を履行すべき場所を運転者２３４に通知してもよい。
監視デバイス１０は、内部クロックを使用して、測定が行われた最新の時間を決定してもよく、最新の時間は、その後、適合性データ２３６の一部として車両２４０に送信され、車両自身の内部クロックと比較されることができる。監視デバイス内部クロックと車両クロックとの比較は、時間測定の精度を決定するために、ユーザ入力を報奨回路要素内の報奨基準と比較することによって、図７に関して上述した方法と同様な方法で達成されることができる。監視デバイス１０は、ある期間内に読みが取得された場合にだけ、運転者２３４が車両を運転することを可能にするようにプログラムされることができる。たとえば、監視デバイスは、グルコースレベルの読みが、過去５時間以内に、過去２時間以内に、又は他のこうした時間間隔内に取得された場合に、運転者２３４が車両を運転することを可能にするだけであるようにプログラムされることができる。
こうして本発明のいくつかの実施形態を述べたが、添付特許請求項の範囲内に入る他の実施形態が行われ、また、使用されてもよいことを当業者は容易に理解するであろう。本開示は、多くの点で、例証的であるに過ぎないことが理解されるであろう。本発明の範囲を超えることなく、本明細書に述べる種々の要素に対して、変更が行われることができる。
【図面の簡単な説明】
【００４３】
【図１】例証的な実施形態による健康監視デバイスの斜視図。
【図２】図１の健康監視デバイスのいくつかの例証的なコンポーネントを示す斜視図。
【図３】図１の健康監視デバイス用の報奨回路要素及び医療回路要素を示す線図。
【図４】図１の健康監視デバイスによって使用されるＬＥＤの点灯状態を監視する例証的な光学システムの線図。
【図５】健康監視デバイスを使用して１つ又は複数の医療パラメータを監視することについて、報奨又は褒賞をユーザに提供する例証的な方法のフロー図。
【図６】健康監視デバイスを使用してユーザに報奨状態インジケータを提供する例証的な方法のフロー図。
【図７】健康監視デバイスの内部クロック回路要素を使用して、報奨又は褒賞をトリガーする例証的な方法のフロー図。
【図８】図１の監視デバイスのいくつかの実施形態のうちの１つであり、報奨又は褒賞が獲得された、又は、獲得されることになることを指示する視覚的インジケータをユーザに提供するステップを示す斜視図。
【図９】図１の監視デバイスのいくつかの実施形態のうちの１つであり、報奨又は褒賞が獲得された、又は、獲得されることになることを指示する視覚的インジケータをユーザに提供するステップを示す斜視図。
【図１０】図１の監視デバイスのいくつかの実施形態のうちの１つであり、報奨又は褒賞が獲得された、又は、獲得されることになることを指示する視覚的インジケータをユーザに提供するステップを示す斜視図。
【図１１】１つ又は複数の医療パラメータを監視することについて、ユーザに報奨を与える例証的な報奨システムを示す線図。
【図１２】健康監視デバイスを使用して１つ又は複数の医療パラメータを監視することについて、ユーザに報奨を与える例証的なオンライン報奨システムを示す線図。
【図１３】図１２のオンライン報奨システムの例証的な実施態様を示す線図。
【図１４】健康監視デバイスを使用して１つ又は複数の医療パラメータを監視することについて、運転者に報奨を与える例証的な車両報奨システムを示す線図。
【図１】
2009523469.tif 000003
【図２】
2009523469.tif 000004
【図３】
2009523469.tif 000005
【図４】
2009523469.tif 000006
【図５】
2009523469.tif 000007
【図６】
2009523469.tif 000008
【図７】
2009523469.tif 000009
【図８】
2009523469.tif 000010
【図９】
2009523469.tif 000011
【図１０】
2009523469.tif 000012
【図１１】
2009523469.tif 000013
【図１２】
2009523469.tif 000014
【図１３】
2009523469.tif 000015
【図１４】
2009523469.tif 000016
【手続補正書】
【提出日】平成20年9月22日(2008.9.22)
【手続補正１】
【補正対象書類名】特許請求の範囲
【補正対象項目名】全文
【補正方法】変更
【補正の内容】
【特許請求の範囲】
【請求項１】
１つ又は複数の医療パラメータを監視することについて、報奨又は褒賞を提供するための方法であって、
ユーザの健康に関する１つ又は複数の医療パラメータを検知するための健康監視デバイスを設けるステップであって、前記健康監視デバイスは、１つ又は複数の医療パラメータの監視を奨励するアルゴリズム又はルーチンを実行するための報奨回路要素を備えている、健康監視デバイスを設けるステップと、
報奨基準データを前記健康監視デバイス内にて受信するステップと、
前記報奨基準データを、前記健康監視デバイスによって取得された１つ又は複数の医療パラメータと比較するステップと、
前記報奨基準データの１つ又は複数の目標が満たされたかどうかを判定するステップと、
前記１つ又は複数の目標のうちの少なくとも１つが満たされたときを、前記ユーザに通知する報奨インジケータを設けるステップと、
前記１つ又は複数の目標に関するユーザの適合度に少なくとも部分的に基づいて、１つ又は複数の報奨又は褒賞を獲得するように前記ユーザに促すステップと、
前記報奨又は褒賞を１つ又は複数の他の遠隔デバイスへ送信するステップとを備える方法。
【請求項２】
前記報奨基準データを受信する前記ステップは、前記健康監視デバイスにつながるウェブサイト及び他の遠隔デバイスのうちの少なくとも一方から前記報奨基準をダウンロードするステップからなる、請求項１に記載の方法。
【請求項３】
報奨インジケータを設ける前記ステップは、ディスプレイスクリーン上に視覚的報知を出力するステップからなる、請求項１に記載の方法。
【請求項４】
報奨インジケータを設ける前記ステップは、前記健康監視デバイス上の１つ又は複数の光源を点灯するステップからなる、請求項１に記載の方法。
【請求項５】
報奨インジケータを設ける前記ステップは、スピーカを通して可聴アラームを出力するからなる請求項１に記載の方法。
【請求項６】
報奨インジケータを設ける前記ステップは、振動要素によって前記ユーザに触知可能なフィードバックを提供するステップからなる請求項１に記載の方法。
【請求項７】
１つ又は複数の報奨又は褒賞を獲得するように前記ユーザに促す前記ステップは、報奨又は褒賞を獲得する方法に関する命令に従って前記報奨又は褒賞が獲得されたことを前記ユーザに知らせるメッセージをディスプレイスクリーン上に出力するステップからなる請求項１に記載の方法。
【請求項８】
前記１つ又は複数の目標に関する前記ユーザの適合性に少なくとも部分的に基づいて、１つ又は複数の動機付けメッセージ及び広告メッセージのうちの少なくとも一方をディスプレイスクリーン上に出力するステップをさらに備える請求項１に記載の方法。
【請求項９】
ユーザによる１つ又は複数の医療パラメータの監視を奨励するシステムであって、
ユーザの健康に関する１つ又は複数の医療パラメータを検知するために適切であるとともに、前記１つ又は複数の医療パラメータの監視を奨励するアルゴリズム又はルーチンを実行するために適切な報奨回路要素を備えた健康監視デバイスと、
前記健康監視デバイスは、該健康監視デバイスによって検知された前記１つ又は複数の医療パラメータに時刻スタンプを付するためのタイマを備えることと、
前記健康監視デバイスに少なくとも選択的に接続される少なくとも１つの遠隔デバイスとを備えるシステム。
【請求項１０】
前記少なくとも１つの遠隔デバイスは、遠隔エンティティのコンピュータシステムを含み、前記遠隔エンティティは、薬局又は医薬品ストアである、請求項９に記載のシステム。
【請求項１１】
前記少なくとも１つの遠隔デバイスはウェブサイトである請求項９に記載のシステム。
【請求項１２】
前記健康監視デバイスは、前記少なくとも１つの遠隔デバイスに適合性データを送信すべく形成され、前記適合性データは、前記健康監視デバイスから取得された１つ又は複数の読みを対応する時刻スタンプと共に含む請求項９に記載のシステム。
【請求項１３】
前記少なくとも１つの遠隔デバイスは、前記適合性データに基づいて前記健康監視デバイスへ１つ又は複数の報奨コードを送信すべく形成されている請求項１２に記載のシステム。
【請求項１４】
健康監視デバイスであって、
１つ以上の報奨基準を記憶するためのメモリと、
前記１つまたは複数の医療パラメータ及び前記メモリに記憶された報奨基準にアクセスし、及び前記１つ又は複数の医療パラメータの監視を奨励する報奨アルゴリズム又はルーチンを含む報奨回路要素と、
１つ以上の遠隔デバイスから報奨基準を受信し、及び受信した前記報奨基準を前記メモリに渡すために前記メモリに接続されている通信インタフェースと、
報奨データを表示するための、ディスプレイスクリーンを含む少なくとも１つのディスプレイパネルと、
ユーザインタフェースとを備える健康監視デバイス。
【請求項１５】
前記健康監視デバイスは血中グルコース測定器である請求項１４に記載の健康監視デバ
イス。
【国際調査報告】
2009523469.tif 000017
2009523469.tif 000018
2009523469.tif 000019